(57)【要約】【課題】外気温センサの余剰ハーネス処理を低コストで行う。【解決手段】本発明の外気温センサ取付具２０は、センサ部１５ａ及びハーネス１５ｂを有する外気温センサ１５を空気調和機の室外機１のケーシング２外側に取付けるためのものである。とくに、本体部２１と、本体部２１に設けられ、センサ部１５ａを保持する保持部２２と、本体部２１に設けられ、ケーシング２に形成された貫通孔４を挿通可能な突出部２５と、突出部２５の先端に一体的に設けられ、ハーネス１５ｂの余剰部を巻付可能とされたハーネス巻付部２６とを備えることを特徴とする。【選択図】図３
2009210135.tif 000002
【特許請求の範囲】
【請求項１】
センサ部及びハーネスを有する外気温センサを空気調和機の室外機のケーシング外側に取付けるための外気温センサ取付具であって、
前記センサ部を保持する保持部と、
前記ケーシングに形成された貫通孔を挿通可能な突出部と、
前記突出部の先端に一体的に設けられ、前記ハーネスの余剰部を巻付可能とされたハーネス巻付部とを備えることを特徴とする外気温センサ取付具。
【請求項２】
前記突出部は、前記ケーシングと係合する爪部を備えることを特徴とする請求項１記載の外気温センサ取付具。
【請求項３】
前記ハーネス巻付部の先端には、屈曲部が設けられることを特徴とする請求項１または２記載の外気温センサ取付具。
【請求項４】
前記ハーネス巻付部の先端には、屈曲部が設けられ、
前記屈曲部は、前記爪部の爪高さ方向長さが前記爪高さ以下であることを特徴とする請求項２記載の外気温センサ取付具。
【請求項５】
前記外気温センサ取付具は樹脂製の一体成形品であることを特徴とする請求項１乃至４の何れか１項に記載の外気温センサ取付具。
【請求項６】
前記センサ部は検知温度に応じて電気抵抗が変化するサーミスタを含むことを特徴とする請求項１乃至５の何れか１項に記載の外気温センサ取付具。
【請求項７】
請求項１乃至６の何れか１項に記載の外気温センサ取付具によって前記外気温センサが取付けられた空気調和機の室外機であって、
前記室外機は複数の機種で構成される機種群のうちの一機種であり、
前記センサ部は前記機種群内で共通して使用可能であり、
前記機種群には、前記ハーネスの最適長さが互いに異なる少なくとも２機種の室外機が属しており、その異なる最適長さのうちの最長長さが前記外気温センサのハーネス長さとして設定されており、
当該室外機において、前記ハーネス長さと当該室外機の前記最適長さとの間に差がある場合に、その差に相当する部分が前記ハーネス余剰部として前記ハーネス巻付部に巻付けられていることを特徴とする空気調和機の室外機。
【請求項８】
請求項７記載の室外機を備えたことを特徴とする空気調和機。
【発明の詳細な説明】
【技術分野】
【０００１】
本発明は、空気調和機の室外機に関し、特に外気温センサが取付具によって取付けられた室外機、或いはその外気温センサ取付具に関する。
【背景技術】
【０００２】
従来、外気温を検知するための外気温センサが取付けられた空気調和機の室外機が知られている。
【０００３】
例えば特許文献１には、サーミスタをセンサ部とする外気温センサが取付けられた空気調和機の室外機が開示されている。外気温センサは、室外機に内蔵された熱交換器に当たる外気の温度を検知する目的で設けられるので、適切な温度検知を行うためには、外気に露出し且つ熱交換器付近に取付けられるのが望ましい。特許文献１に記載の室外機は、そのケーシング（側板）の前記望ましい箇所に外気温センサ取付具（サーミスタ保持具）が取付けられ、その取付具にセンサ部（サーミスタ）が保持されている。そしてセンサ部から導出されたハーネス（リード線）は、室外機の内部に導かれている。
【０００４】
なお一般的に、室外機には圧縮機等を制御する制御部（電気回路）が内蔵されており、外気温センサのハーネスはこの制御部に接続される。
【特許文献１】特開２００５−６９５８７号公報
【発明の開示】
【発明が解決しようとする課題】
【０００５】
ところでこのような外気温センサにおいて、コスト低減に関して次のような問題点があった。
【０００６】
空気調和機あるいはその室外機を製造・販売するにあたり、類似の機能を有しつつ用途（対象とする部屋の広さなど）に応じた複数の機種を取り揃える場合が多い。本明細書ではそのような複数の機種を総称して機種群と称するものとする。
【０００７】
同一機種群に属する各機種において、部品を共通化すること（同一仕様の部品を用いること）はコスト低減の有力な方策である。部品を共通化することによって同一仕様の部品を大量生産することができ（数量メリットによる部品コスト削減）、部品の管理費を削減することができ、さらに機種に応じて部品を選択組付する手間を省略することができる（組付コスト削減）からである。
【０００８】
ここで前記外気温センサの共通化に着目すると、センサ部は外気の温度を検知するという共通の機能を有するものであって、比較的容易に共通化可能である。しかしハーネスについては必ずしも共通化が容易ではない。通常、機種ごとにハーネスの最適長さが異なるからである。ここでハーネスの最適長さとは、センサ部の取付位置と制御部位置との距離に応じた過不足のない長さをいう。一般的に機種によってケーシングのサイズが異なるから、それによってセンサ部の取付位置と制御部位置との距離も異なり、ハーネスの最適長さも機種によって異なるのである。
【０００９】
ここで、仮にハーネス長さを、機種群のうち最適長さの最も長いものに統一すれば、外気温センサの共通化が可能となり、コスト低減を図ることができると思われる。
【００１０】
しかし、ハーネス長さが最適長さよりも長くなる機種においては、余剰ハーネス（ハーネスの最適長さよりも長い部分）の処理費用が嵩み、共通化によるコスト低減効果を大幅に目減りさせてしまうという問題が生ずる。例えば、余剰ハーネスを結束バンドで束ねる等の一般的な処理は、結束バンドという部品が追加されることによるコストアップ代が大きく、外気温センサの共通化に伴う余剰ハーネスの処理手段として現実的ではなかった。
【００１１】
本発明は前記事情に鑑み、外気温センサの余剰ハーネス処理を低コストで行うことができる手段を提供することを目的とする。
【課題を解決するための手段】
【００１２】
本発明は、外気温センサ取付具の一部に、ハーネスの余剰部分を巻き付けるハーネス巻付部を設けたものである。
【００１３】
本発明の外気温センサ取付具は、センサ部及びハーネスを有する外気温センサを空気調和機の室外機のケーシング外側に取付けるための外気温センサ取付具であって、前記センサ部を保持する保持部と、前記ケーシングに形成された貫通孔を挿通可能な突出部と、前記突出部の先端に一体的に設けられ、前記ハーネスの余剰部を巻付可能とされたハーネス巻付部とを備えることを特徴とする。
【００１４】
この発明によれば、外気温センサ取付具は、その保持部によってセンサ部を保持するという本来機能を有する。さらにこの外気温センサ取付具は、突出部とその先端に設けられたハーネス巻付部とを備える。突出部はケーシングに形成された貫通孔を挿通可能であるから、外気温センサ取付具の取付状態において、ハーネス巻付部はケーシングの内部に突出することとなる。組立作業者は、余剰ハーネスがある場合、それをケーシング内のハーネス巻付部に巻付けることにより適切に処理することができる。しかもハーネス巻付部は、外気温センサ取付具を利用してこれと一体的に設けられているので、結束バンド等の部品を追加する場合に比べて低コストで余剰ハーネス処理を行うことができる。
【００１５】
また、前記突出部は、前記ケーシングと係合する爪部を備えることが好ましい。
【００１６】
この発明によれば、突出部は、ケーシングと係合する爪部を備える。換言すれば、外気温センサ取付具をケーシングに取付けるための爪部を利用して突出部が設けられている。従って、爪部と突出部を別々に設けたような構造に比べ、簡単で低コストな構造とすることができる。
【００１７】
また、前記ハーネス巻付部の先端には、屈曲部が設けられていることが好ましい。
【００１８】
この発明によれば、ハーネス巻付部の先端を屈曲させた簡単な形状の屈曲部によって、巻付けた余剰ハーネスが容易に解けないようにすることができる。
【００１９】
また、前記ハーネス巻付部の先端には、屈曲部が設けられ、前記屈曲部は、前記爪部の爪高さ方向長さが前記爪高さ以下であることが好ましい。
【００２０】
この発明によれば、組立作業者が外気温センサ取付具をケーシングに取付けるために爪部をケーシングの貫通孔に通す際、屈曲部高さが爪部高さ以下なので屈曲部が邪魔にならない。従って外気温センサ取付具を容易にケーシングに取付けることができる。
【００２１】
また、前記外気温センサ取付具は樹脂製の一体成形品であることが好ましい。
【００２２】
この発明によれば、外気温センサ取付具が樹脂製の一体成形品であるため、容易かつ低コストでハーネス巻付部を形成することができる。
【００２３】
また、前記センサ部は検知温度に応じて電気抵抗が変化するサーミスタを含むことが好ましい。
【００２４】
この発明によれば、センサ部がサーミスタを含むため、制御部においてサーミスタの抵抗値を計測するだけで容易に外気温を検知することができる。
【００２５】
本発明の空気調和機の室外機は、上記の外気温センサ取付具によって前記外気温センサが取付けられた空気調和機の室外機であって、前記室外機は複数の機種で構成される機種群のうちの一機種であり、前記センサ部は前記機種群内で共通して使用可能であり、前記機種群には、前記ハーネスの最適長さが互いに異なる少なくとも２機種の室外機が属しており、その異なる最適長さのうちの最長長さが前記外気温センサのハーネス長さとして設定されており、当該室外機において、前記ハーネス長さと当該室外機の前記最適長さとの間に差がある場合に、その差に相当する部分が前記ハーネス余剰部として前記ハーネス巻付部に巻付けられていることを特徴とする。
【００２６】
この発明によれば、以下説明するように、同一機種群に属する各機種に取付けられる外気温センサを共通化することにより、その機種群全体としてコスト低減を図ることができる。
【００２７】
本発明の構成によれば、同一機種群に属する全ての機種において、ハーネスの最適長さが本発明の外気温センサのハーネス長さ以下となる。従ってこの外気温センサが全機種に取付可能となり、当該機種群において外気温センサ及びその取付具の共通化を図ることができる。すなわち外気温センサ共通化によるコスト低減を図ることができる。一部の機種においてハーネス長さが最適長さよりも長くなり、余剰ハーネスが発生するが、その場合には組立作業者が余剰ハーネスをハーネス巻付部に巻付けて適切に処理すれば良い。
【００２８】
ここで、前述のようにハーネス巻付部が低コストで設けられているため、その分のコストを差引いても、機種群全体として外気温センサ共通化によるコスト低減効果を充分得ることができる。
【００２９】
本発明の空気調和機は、上記の室外機を備えたことを特徴とする。
【００３０】
この発明によれば、外気温センサの共通化により、機種群全体として空気調和機のコスト低減を図ることができる。
【発明の効果】
【００３１】
本発明によれば、外気温センサ取付具を利用して外気温センサの余剰ハーネス処理を低コストで行うことができる。
【発明を実施するための最良の形態】
【００３２】
以下で、添付図面を参照しながら本発明の好ましい実施の形態について説明する。
【００３３】
図１は、空気調和機の室外機１を説明するための斜視図であり、室外機１の正面側を示す。図２は、空気調和機の室外機１を説明するための斜視図であり、室外機１の背面側を示す。
【００３４】
空気調和機の室外機１は、図１および図２に示されるように、熱交換器８、制御部、ファン、圧縮機、減圧機構などを内部に収容するケーシング２と、ケーシング２の内部に収容された制御部に接続され、外気の温度を検知する外気温センサ１５（図３参照）と、外気温センサ１５を保持し、外気温センサ１５をケーシング２に対して所定の位置に支持する外気温センサ取付具２０とを備えている。
【００３５】
ケーシング２は、主として、略水平に設けられる天板１０と、天板１０の下面に対して垂直に設けられる板状の部材と、該板状の部材の下端側に天板１０と略平行に設けられる底フレーム９とから構成されている。さらに、図２に示されるように、室外機１の背面側には、ケーシング２内に外気を取り入れるための吸込口７が形成され、吸込口７を覆うように、吸込グリル７ａが取り付けられている。
【００３６】
上述の板状の部材は、前面側の一部を覆うように取り付けられる前板３ａと、平面視で略Ｌ字状を呈し、前面側の一部および一方の側面側の一部とを覆うように取り付けられる右前板３ｂと、平面視で略Ｌ字状を呈し、背面側の一部および前記右前板３ｂによってその一部が覆われた側面側の残りの部分を覆うように取り付けられる側板３ｃとを含む。前記一方の側面側は、右前板３ｂおよび側板３ｃによって、その大部分が覆われる。これらの板状の部材うち、図１に示されるように、前板３ａには、ケーシング２内で熱交換が行われた空気を排出するための吹き出し口６が形成され、この吹き出し口６を覆うように、排気グリル６ａが取り付けられている。また、側板３ｃには、その背面側の所定の高さに、後述の外気温センサ取付具２０を側板３ｃに取り付けるための１対の貫通孔４が、上下に並んで形成されている（図４参照）。
【００３７】
そして、ケーシング２の内部は、仕切り板１１によって、熱交換器８、ファンなどが配置される送風機室１３と、制御部、圧縮機、減圧機構などが配置される機械室１２とに隔てられている。
【００３８】
図３は、外気温センサ取付具２０および外気温センサ１５を説明するための斜視図である。
【００３９】
外気温センサ１５は、図３に示されるように、外気の温度を検知するためのセンサ部１５ａと、センサ部１５ａを制御部に接続するためのハーネス１５ｂとを備えている。
【００４０】
センサ部１５ａは、検知温度に応じて電気抵抗が変化するサーミスタを備えている。制御部では、サーミスタの抵抗値を計測して外気温を検知する。
【００４１】
ハーネス１５ｂは、その一端が、センサ部１５ａに接続され、他端が、機械室１２内に設けられた制御部に接続されている。ハーネス１５ｂは、センサ部１５ａが後述の外気温センサ取付具２０内に収められた状態で、外気温センサ取付具２０から外部に導出されている。ハーネス１５ｂの長さとしては、機械室１２内に設けられた制御部から外気温センサ取付具２０の取付位置までの距離を超える長さであればよい。たとえば、本実施の形態の外気温センサ１５を、ケーシング２のサイズが異なる複数の機種群で統一して用いる場合には、外気温センサ１５をケーシング２のサイズが異なる複数の機種群のうち、ハーネス１５ｂの最適長さが最も長くなるものに統一する。ハーネス１５ｂの、外気温センサ取付具２０の取付位置と制御部位置との距離に応じた過不足のない長さを超える部分、すなわち、最適長さを超える部分については、後述の外気温センサ取付具２０に設けられているハーネス巻付部２６に巻き付けておく。
【００４２】
外気温センサ取付具２０は、樹脂製の一体成形品であり、図３に示されるように、外気温センサ取付具２０の全体をケーシング２の所定の位置に支持するための本体部２１と、本体部２１に設けられ、外気温センサ１５のセンサ部１５ａを保持するための保持部２２と、保持部２２によって保持された外気温センサ１５のセンサ部１５ａを覆うためのふた部２３と、本体部２１に設けられ、側板３ｃに形成された１対の貫通孔４を挿通可能な突出部２５と、突出部２５の先端に一体的に設けられ、ハーネス１５ｂの余剰部を巻き付けるためのハーネス巻付部２６とを含む。
【００４３】
本体部２１は、略平板帯状を呈した部材であり、その一方の面に突出部２５が突出して形成されている。この突出部２５が形成された一方の面は、外気温センサ取付具２０をケーシング２に取り付けた際に、側板３ｃの外面に対向する面である。
【００４４】
保持部２２は、本体部２１の一端に接合され、略矩形状を呈した保持部本体２２ｃを含む。保持部本体２２ｃの中央部には、センサ部１５ａを収容するための凹状に凹んだ収容空間２２ａが形成されている。また、保持部本体２２ｃには、収容空間２２ａ内に外気を通気させるための通気孔が複数個所に形成されている。さらに、保持部２２には、外気温センサ１５のハーネス１５ｂを保持部２２の収容空間２２から導出するための導出口２２ｂが凹状に形成されている。
【００４５】
ふた部２３は、保持部２２の一端に設けられており、保持部２２とふた部２３とを連結するヒンジ部２３ａを中心として回動可能になっている。また、保持部２２と同様に、ふた部２３にもまた、保持部２２の収容空間２２ａ内に外気を通気させるための通気孔が複数個所に形成されている。外気温センサ取付具２０の使用時には、センサ部１５ａを保持部２２の収容空間２２ａ内に収容した状態で、ふた部２３を、ヒンジ部２３ａを中心に図３の矢印Ａ２の方向、すなわち突出部２５が突出している側に約１８０度回動させて、閉蓋する。このように、ふた部２３と、保持部２２とで、センサ部１５ａが外気と接触可能なように覆うことで、外気温を適切に検知しながら、センサ部１５ａに人が直接触れることによる、外気温センサ１５の故障を防ぐ。
【００４６】
図４は、外気温センサ取付具２０に外気温センサ１５を装着して、側板３ｃに取り付けた状態を説明する断面図である。
【００４７】
突出部２５は、図４に示されるように、本体部２１の一方の面から本体部２１の前記一方の面に対して略垂直に突出して設けられており、上下に向かい合うように形成された第１突出部２５ａおよび第２突出部２５ｂからなる１対の部材である。第１突出部２５ａと第２突出部２５ｂとの間隔は、上述の１対の貫通孔４の間隔にほぼ等しい。さらに、第１突出部２５ａおよび第２突出部２５ｂには、それぞれ、側板３ｃに形成された１対の貫通孔４に挿通され、側板３ｃに係合する爪部２７が一体的に備えられている。爪部２７は、その厚み（爪高さ）が、その先端側から後端側（本体部２１との境界部分の側）にかけて、徐々に増し、所定の厚み（爪部高さＬ２）に達したところで、急勾配で減少している。したがって、第１突出部２５ａおよび第２突出部２５ｂを側板３ｃに形成された貫通孔４に挿入すると、側板３ｃが爪部２７と本体部２１との間に挟み込まれ、爪部２７が側板３ｃに係合する。よって、外気温センサ取付具２０が、ケーシング２の外側に脱落するのを防止することができる。
【００４８】
ハーネス巻付部２６は、第１突出部２５ａ、第２突出部２５ｂのうち、上側の第１突出部２５ａに設けられ、第１突出部２５ａの爪部２７の先端に本体部２１から離れる方向（上記一方の面に垂直な方向）にさらに突出して延びるように設けられた部材である。すなわち、ハーネス巻付部２６は、爪部２７の先端から突出し、かつ、爪部２７の先端に沿って略水平に延びた略平板状を呈している。ハーネス巻付部２６には、外気温センサ１５のハーネス１５ｂの余剰部分が巻き付けられる。
【００４９】
ハーネス巻付部２６の先端には、屈曲部２６ａが設けられている。この屈曲部２６ａは、ハーネス巻付部２６の本体部２１からの突出方向に対して略垂直な方向に屈曲するようにハーネス巻付部２６の先端から延出されたもので、ハーネス巻付部２６にハーネス１５ｂを巻き付けた際に、巻き付けたハーネス１５ｂが、ハーネス巻付部２６から外れるのを防ぐ。この屈曲部２６ａの高さである屈曲部高さＬ１は、前述の爪部２７の高さ方向長さである爪部高さＬ２より低い。これにより、スムーズにハーネス巻付部２６および突出部２５を貫通孔４に挿通することができる。
【００５０】
ハーネス巻付部２６に、外気温センサ１５のハーネス１５ｂの余剰部を巻き付けておくことにより、ハーネス１５ｂの余剰部が機械室１２の内部で絡まり合ったり、ハーネス１５ｂの余剰部がメンテナンス時にメンテナンス作業の邪魔になるのを防ぐことができる。
【００５１】
この外気温センサ取付具２０は、以下で説明するように、ケーシング２の所定の位置に取り付けられる。
【００５２】
まず、作業者は、外気温センサ取付具２０のハーネス巻付部２６、第１突出部２５ａおよび第２突出部２５ｂを、ケーシング２の外側から内側へ向けて、ケーシング２の側板３ｃの背面側に形成された１対の貫通孔４に挿通させて、爪部２７を貫通孔４の周縁部に係合させ、外気温センサ取付具２０をケーシング２の所定の位置に固定する。この状態で、外気温センサ取付具２０のハーネス巻付部２６、第１突出部２５ａおよび第２突出部２５ｂは、ケーシング２の内部に突出し、保持部２２およびふた部２３は、側板３ｃの縁から、吸込口７の方向へ突出している。また、屈曲部２６ａは、上方へ向けて屈曲している。
【００５３】
つぎに、作業者は、一端が制御部に接続された外気温センサ１５を吸込口７から外部へ導出し、外気温センサ取付具２０の保持部２２に形成された収容空間２２ａ内に、図４の矢印Ａ１に示されるようにセンサ部１５ａを収容する。そして、作業者は、ふた部２３を、ヒンジ部２３ａを中心に回動させ、ケーシング２の内方へ折り曲げ（矢印Ａ２）、閉蓋する。
【００５４】
つぎに、作業者は、一方の端部が外気温センサ取付具２０内に収容されたセンサ部１５ａに接続され、他方の端部が制御部に接続されたハーネス１５ｂのうち、ハーネス１５ｂの全長から最適長さを差し引いた長さを有する余剰部をハーネス巻付部２６に巻き付ける。具体的には、保持部２２の導出口２２ｂから導出させたハーネス１５ｂを、ケーシング２の内部で配索し、側板３ｃの内面から突出している外気温センサ保持部２０のハーネス巻付部２６に巻回する。
【００５５】
このようにして、外気温センサ取付具２０が、ケーシング２に取り付けられる。
【００５６】
以上の実施の形態によれば、外気温センサ取付具２０は、その保持部２２によってセンサ部１５ａを保持するという本来機能を有する。さらにこの外気温センサ取付具２０は、突出部２５とその先端に設けられたハーネス巻付部２６とを備える。突出部２５はケーシング２に形成された貫通孔４を挿通可能であるから、外気温センサ取付具２０の取付状態において、ハーネス巻付部２６はケーシング２の内部に突出することとなる。組立作業者は、余剰ハーネスがある場合、それをケーシング２内のハーネス巻付部２６に巻付けることにより適切に処理することができる。しかもハーネス巻付部２６は、外気温センサ取付具２０を利用してこれと一体的に設けられているので、結束バンド等の部品を追加する場合に比べて低コストで余剰ハーネス処理を行うことができる。
【００５７】
また、突出部２５は、ケーシング２と係合する爪部２７を備えている。換言すれば、外気温センサ取付具２０をケーシング２に取付けるための爪部２７を利用して突出部２５が設けられている。従って、爪部２７と突出部２５を別々に設けたような構造に比べ、簡単で低コストな構造とすることができる。
【００５８】
また、突出部２５の先端を屈曲させた簡単な形状の屈曲部２６ａによって、巻付けた余剰ハーネスが容易に解けないようにすることができる。さらに、組立作業者が外気温センサ取付具２０をケーシング２に取付けるために爪部２７をケーシング２の貫通孔４に通す際、屈曲部高さＬ１が爪部高さＬ２以下なので屈曲部２６ａが邪魔にならない。したがって外気温センサ取付具２０を容易にケーシング２に取付けることができる。
【００５９】
また、外気温センサ取付具２０が樹脂製の一体成形品であるため、容易かつ低コストでハーネス巻付部２６を形成することができる。
【００６０】
また、センサ部がサーミスタを含むため、制御部においてサーミスタの抵抗値を計測するだけで容易に外気温を検知することができる。
【００６１】
さらに、上記実施の形態の空気調和機の室外機１によれば、同一機種群に属する各機種に取付けられる外気温センサ１５を共通化することにより、その機種群全体としてコスト低減を図ることができる。すなわち、同一機種群に属する全ての機種において、ハーネス１５ｂの最適長さが本発明の外気温センサ１５のハーネス長さ以下となる。従ってこの外気温センサ１５が全機種に取付可能となり、当該機種群において外気温センサ１５及びその取付具２０の共通化を図ることができる。したがって、外気温センサ１５共通化によるコスト低減を図ることができる。一部の機種においてハーネス長さが最適長さよりも長くなり、余剰ハーネスが発生するが、その場合には組立作業者が余剰ハーネスをハーネス巻付部２６に巻付けて適切に処理すれば良い。さらに、前述のようにハーネス巻付部２６が低コストで設けられているため、その分のコストを差引いても、機種群全体として外気温センサ１５共通化によるコスト低減効果を充分得ることができる。
【００６２】
また、外気温センサ１５の共通化により、機種群全体として空気調和機のコスト低減を図ることができる。
【００６３】
なお、上記実施の形態では、ハーネス巻付部２６に外気温センサ１５のハーネス１５ｂのみを巻き付ける形態について説明したが、本発明はこれに限定されるものではなく、外気温センサ以外のハーネスの余剰部分をハーネス巻付部に巻き付ける形態であってもよい。
【００６４】
また、上記実施の形態では、外気温センサを機種群全体で同一種類の外気温センサに共通化した形態について説明したが、本発明はこれに限定されるものではない。外気温センサとして、ケーシングのサイズが異なる機種間でハーネスの長さが異なる汎用部品を用いる形態であってもよい。本発明の外気温センサ取付具を用いることにより、各ケーシングにおいて汎用部品のハーネス長さが最適長さよりも長い場合、ハーネス長さを統一させた専用部品を設定するよりもコスト削減につながる場合がある。
【００６５】
また、上記実施の形態では、ハーネス巻付部２６を第１突出部２５ａ、第２突出部２５ｂのうち、上側の第１突出部２５ａに設けた形態について説明したが、本発明はこれに限定されるものではなく、第１突出部、第２突出部のうち、下側の突出部にハーネス巻付部を設けてもよいし、上側および下側の両方の突出部にハーネス巻付部を設けてもよい。
【００６６】
また、上記実施の形態では、ハーネス巻付部２６の先端に屈曲部２６ａが形成された形態について説明したが、本発明はこれに限定されるものではなく、屈曲部２６ａは省略してもよい。
【図面の簡単な説明】
【００６７】
【図１】空気調和機の室外機を説明するための斜視図であり、室外機の正面側を示す。
【図２】空気調和機の室外機を説明するための斜視図であり、室外機の背面側を示す。
【図３】外気温センサ取付具および外気温センサを説明するための斜視図である。
【図４】外気温センサ取付具に外気温センサを装着して、側板に取り付けた状態を説明する断面図である。
【符号の説明】
【００６８】
１  室外機
２  ケーシング
４  貫通孔
１５  外気温センサ
１５ａ  センサ部
１５ｂ  ハーネス
２０  外気温センサ取付具
２１  本体部
２２  保持部
２５、２５ａ、２５ｂ  突出部
２６  ハーネス巻付部
２６ａ  屈曲部
２７  爪部
４  貫通孔
Ｌ１  屈曲部高さ
Ｌ２  爪部高さ 
【図１】
2009210135.tif 000003
【図２】
2009210135.tif 000004
【図３】
2009210135.tif 000005
【図４】
2009210135.tif 000006
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
センサ部及びハーネスを有する外気温センサを空気調和機の室外機のケーシング外側に取付けるための外気温センサ取付具であって、
前記センサ部を保持する保持部と、
前記ケーシングに形成された貫通孔を挿通可能な突出部と、
前記突出部の先端に一体的に設けられ、前記ハーネスを巻付可能とされたハーネス巻付部とを備えることを特徴とする外気温センサ取付具。
【請求項２】
前記突出部は、前記ケーシングと係合する爪部を備えることを特徴とする請求項１記載の外気温センサ取付具。
【請求項３】
前記ハーネス巻付部の先端には、屈曲部が設けられることを特徴とする請求項１または２記載の外気温センサ取付具。
【請求項４】
前記ハーネス巻付部の先端には、屈曲部が設けられ、
前記屈曲部は、前記爪部の爪高さ方向長さが前記爪高さ以下であることを特徴とする請求項２記載の外気温センサ取付具。
【請求項５】
前記外気温センサ取付具は樹脂製の一体成形品であることを特徴とする請求項１乃至４の何れか１項に記載の外気温センサ取付具。
【請求項６】
前記センサ部は検知温度に応じて電気抵抗が変化するサーミスタを含むことを特徴とする請求項１乃至５の何れか１項に記載の外気温センサ取付具。
【請求項７】
請求項１乃至６の何れか１項に記載の外気温センサ取付具によって前記ケーシングに前記外気温センサが取り付けられた空気調和装置の室外機。
【請求項８】
前記室外機は複数の機種で構成される機種群のうちの一機種であり、
前記センサ部は前記機種群内で共通して使用可能であり、
前記機種群には、前記ハーネスの最適長さが互いに異なる少なくとも２機種の室外機が属しており、その異なる最適長さのうちの最長長さが前記外気温センサのハーネス長さとして設定されており、
当該室外機において、前記ハーネス長さと当該室外機の前記最適長さとの間に差がある場合に、その差に相当する部分が前記ハーネス巻付部に巻付けられていることを特徴とする請求項７記載の空気調和機の室外機。
【請求項９】
請求項８記載の室外機を備えたことを特徴とする空気調和機。
【手続補正２】
【補正対象書類名】明細書
【補正対象項目名】０００５
【補正方法】変更
【補正の内容】
【０００５】
ところでこのような外気温センサにおいて、ハーネスが機械室の内部で絡まり合ったり、ハーネスがメンテナンス時にメンテナンス作業の邪魔になるといった問題点があった。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
また、余剰ハーネス（ハーネスの最適長さよりも長い部分）の処理費用が嵩み、例えば、余剰ハーネスを結束バンドで束ねる等の一般的な処理は、結束バンドという部品が追加されることによるコストアップ代が大きく、外気温センサの共通化に伴う余剰ハーネスの処理手段として現実的ではなかった。
【手続補正８】
【補正対象書類名】明細書
【補正対象項目名】００１１
【補正方法】変更
【補正の内容】
【００１１】
本発明は前記事情に鑑み、部品の追加を伴わずに、外気温センサのハーネスが絡まり合わないように処理できる手段を提供することを目的とする。
【手続補正９】
【補正対象書類名】明細書
【補正対象項目名】００１２
【補正方法】変更
【補正の内容】
【００１２】
本発明は、外気温センサ取付具の一部に、ハーネスを巻き付けるハーネス巻付部を設けたものである。
【手続補正１０】
【補正対象書類名】明細書
【補正対象項目名】００１３
【補正方法】変更
【補正の内容】
【００１３】
本発明の外気温センサ取付具は、センサ部及びハーネスを有する外気温センサを空気調和機の室外機のケーシング外側に取付けるための外気温センサ取付具であって、前記センサ部を保持する保持部と、前記ケーシングに形成された貫通孔を挿通可能な突出部と、前記突出部の先端に一体的に設けられ、前記ハーネスを巻付可能とされたハーネス巻付部とを備えることを特徴とする。
【手続補正１１】
【補正対象書類名】明細書
【補正対象項目名】００１４
【補正方法】変更
【補正の内容】
【００１４】
この発明によれば、外気温センサ取付具は、その保持部によってセンサ部を保持するという本来機能を有する。さらにこの外気温センサ取付具は、突出部とその先端に設けられたハーネス巻付部とを備える。突出部はケーシングに形成された貫通孔を挿通可能であるから、外気温センサ取付具の取付状態において、ハーネス巻付部はケーシングの内部に突出することとなる。したがって、組立作業者は、ハーネスをケーシング内のハーネス巻付部に巻付けることができる。しかもハーネス巻付部は、外気温センサ取付具を利用してこれと一体的に設けられているので、結束バンド等の部品の追加を伴わずに、ハーネスが絡まり合わないように処理できる。
【手続補正１２】
【補正対象書類名】明細書
【補正対象項目名】００１８
【補正方法】変更
【補正の内容】
【００１８】
この発明によれば、ハーネス巻付部の先端を屈曲させた簡単な形状の屈曲部によって、巻付けたハーネスが容易に解けないようにすることができる。
【手続補正１３】
【補正対象書類名】明細書
【補正対象項目名】００２５
【補正方法】変更
【補正の内容】
【００２５】
本発明の空気調和機の室外機は、上記の何れかに記載の外気温センサ取付具によって前記ケーシングに前記外気温センサが取り付けられていることを特徴とする。
また、前記室外機は複数の機種で構成される機種群のうちの一機種であり、前記センサ部は前記機種群内で共通して使用可能であり、前記機種群には、前記ハーネスの最適長さが互いに異なる少なくとも２機種の室外機が属しており、その異なる最適長さのうちの最長長さが前記外気温センサのハーネス長さとして設定されており、当該室外機において、前記ハーネス長さと当該室外機の前記最適長さとの間に差がある場合に、その差に相当する部分が前記ハーネス巻付部に巻付けられていることが好ましい。
【手続補正１４】
【補正対象書類名】明細書
【補正対象項目名】００２６
【補正方法】変更
【補正の内容】
【００２６】
空気調和機あるいはその室外機を製造・販売するにあたり、類似の機能を有しつつ用途（対象とする部屋の広さなど）に応じた複数の機種を取り揃える場合が多い。本明細書ではそのような複数の機種を総称して機種群と称するものとする。
同一機種群に属する各機種において、部品を共通化すること（同一仕様の部品を用いること）はコスト低減の有力な方策である。部品を共通化することによって同一仕様の部品を大量生産することができ（数量メリットによる部品コスト削減）、部品の管理費を削減することができ、さらに機種に応じて部品を選択組付する手間を省略することができる（組付コスト削減）からである。
ここで前記外気温センサの共通化に着目すると、センサ部は外気の温度を検知するという共通の機能を有するものであって、比較的容易に共通化可能である。しかしハーネスについては必ずしも共通化が容易ではない。通常、機種ごとにハーネスの最適長さが異なるからである。ここでハーネスの最適長さとは、センサ部の取付位置と制御部位置との距離に応じた過不足のない長さをいう。一般的に機種によってケーシングのサイズが異なるから、それによってセンサ部の取付位置と制御部位置との距離も異なり、ハーネスの最適長さも機種によって異なるのである。
これに対し、前記の好ましい構成では、以下説明するように、同一機種群に属する各機種に取付けられる外気温センサを共通化することにより、その機種群全体としてコスト低減を図ることができる。
【手続補正１５】
【補正対象書類名】明細書
【補正対象項目名】００２７
【補正方法】変更
【補正の内容】
【００２７】
前記の好ましい構成では、同一機種群に属する全ての機種において、ハーネスの最適長さが本発明の外気温センサのハーネス長さ以下となる。従ってこの外気温センサが全機種に取付可能となり、当該機種群において外気温センサ及びその取付具の共通化を図ることができる。すなわち外気温センサ共通化によるコスト低減を図ることができる。一部の機種においてハーネス長さが最適長さよりも長くなり、余剰ハーネスが発生するが、その場合には組立作業者が余剰ハーネスをハーネス巻付部に巻付けて適切に処理すれば良い。
【手続補正１６】
【補正対象書類名】明細書
【補正対象項目名】００３１
【補正方法】変更
【補正の内容】
【００３１】
本発明によれば、部品の追加を伴わずに、外気温センサ取付具を利用して外気温センサのハーネスが絡まり合わないように処理できる。